(57)【要約】【課題】条件に適合した被験者を容易に探し出し、かつ行動の記録について被験者に負担をなくし、さらに、記録に客観性が得られるようにする。【解決手段】被験者評価装置１０は、取得部１１と分析部１２と記録部１３と評価部１４とを備える。取得部１１は、利用者が使用する機器２０による資源の消費量を第１の計測装置２１から取得する。分析部１２は、取得部１１が取得した消費量の変化に基づいて、機器２０の使用に関連付けられている行動が行われたことを推定する。記録部１３は、分析部１２により前記行動が行われたと推定されたときに、該当する行動の種類と該当する行動が行われた時点とを行動情報とし、行動情報を含む評価情報を利用者に対応付けて記録する。評価部１４は、評価情報が特定目的の被験者としての要求条件を満足するか否かを判断し、前記要求条件を満足した利用者を被験者の候補と評価する。【選択図】図１
2015109045.tif 000002
【特許請求の範囲】
【請求項１】
利用者が使用する機器による資源の消費量を第１の計測装置から取得する取得部と、
前記取得部が取得した前記消費量の変化に基づいて、前記機器の使用に関連付けられている行動が行われたことを推定する分析部と、
前記分析部により前記行動が行われたと推定されたときに、該当する行動の種類と該当する行動が行われた時点とを行動情報とし、前記行動情報を含む評価情報を前記利用者に対応付けて記録する記録部と、
前記評価情報が特定目的の被験者としての要求条件を満足するか否かを評価する評価部とを備える
ことを特徴とする被験者評価装置。
【請求項２】
前記取得部は、前記第１の計測装置から取得する前記消費量に加えて、前記利用者の生体情報を第２の計測装置から取得し、
前記記録部は、前記行動情報と併せて前記生体情報を前記評価情報として記録する
請求項１記載の被験者評価装置。
【請求項３】
前記記録部に前記評価情報があらかじめ記録されている前記利用者のうち、前記評価部により前記評価情報が前記要求条件を満足すると評価された利用者に対し、端末装置を通して前記特定目的の被験者に関する募集情報を提供する紹介部をさらに備える
請求項１又は２記載の被験者評価装置。
【請求項４】
前記利用者からの応募を受け付ける受付部をさらに備え、
前記記録部は、前記受付部が受け付けた前記利用者に関して前記評価情報を記録する
請求項１〜３のいずれか１項に記載の被験者評価装置。
【請求項５】
前記要求条件が登録される登録部をさらに備え、
前記評価部は、前記記録部に記録された前記利用者のうち前記登録部に登録された前記要求条件を満足する前記利用者を前記被験者の候補として抽出する
請求項１〜４のいずれか１項に記載の被験者評価装置。
【請求項６】
前記評価部は、抽出した前記被験者の候補について、前記記録部に前記評価情報を記録している期間において、前記評価情報が前記要求条件を満たさなくなった場合に、前記被験者の候補に対し、端末装置を通して行動の改善点を通知する
請求項５記載の被験者評価装置。
【発明の詳細な説明】
【技術分野】
【０００１】
本発明は、特定目的の被験者候補を抽出する被験者評価装置に関する。
【背景技術】
【０００２】
従来、家庭内の電気製品の操作情報や動作情報を家庭外に送信し、電気製品の情報を蓄積することによって、家庭の生活状況をモニタリングする技術が提案されている（たとえば、特許文献１参照）。また、家電住設機器の動作、被験者の存在検知、被験者の動作検知などによって、被験者の生活動作を推定し、生活の変化を判定する技術も提案されている（たとえば、特許文献２参照）。
【０００３】
特許文献１、特許文献２に記載された技術は、独居高齢者、身体障害者などの生活行動を見守る目的で用いられている。
【先行技術文献】
【特許文献】
【０００４】
【特許文献１】特許第３１９３３６３号公報
【特許文献２】特開２００６−１０６８１３号公報
【発明の概要】
【発明が解決しようとする課題】
【０００５】
ところで、薬の効果を確認する目的、運動機器や治療機器の効果を確認する目的など、種々の目的に対して被験者が必要になる場合がある。このような場合には、目的に適合した条件の被験者を探し出す必要があり、また、選択された被験者には、定められた条件での生活行動が要求される。
【０００６】
しかしながら、被験者を募集する際には、被験者のプロフィールだけでは目的に適合した被験者であるか否かは正確に判断することが難しいという問題がある。また、薬や機器の効果を確認するための被験者は、対照となる被験者を含めて、定められた条件で生活することが要求される。そのため、生活の行動を記録することが被験者に要求されるが、被験者自身が生活行動の記録をするから、被験者の負担が大きい上に、生活行動が自己申告であるから、行動の記録内容について客観性が不十分であるという問題もある。
【０００７】
本発明は、条件に適合した被験者を容易に探し出すことができる上に、行動を記録することについて被験者に負担がなく、記録に客観性が得られるようにした被験者評価装置を提供することを目的とする。
【課題を解決するための手段】
【０００８】
本発明に係る被験者評価装置は、利用者が使用する機器による資源の消費量を第１の計測装置から取得する取得部と、前記取得部が取得した前記消費量の変化に基づいて、前記機器の使用に関連付けられている行動が行われたことを推定する分析部と、前記分析部により前記行動が行われたと推定されたときに、該当する行動の種類と該当する行動が行われた時点とを行動情報とし、前記行動情報を含む評価情報を前記利用者に対応付けて記録する記録部と、前記評価情報が特定目的の被験者としての要求条件を満足するか否かを評価する評価部とを備えることを特徴とする。
【０００９】
この被験者評価装置において、前記取得部は、前記第１の計測装置から取得する前記消費量に加えて、前記利用者の生体情報を第２の計測装置から取得し、前記記録部は、前記行動情報と併せて前記生体情報を前記評価情報として記録することが好ましい。
【００１０】
この被験者評価装置において、前記記録部に前記評価情報があらかじめ記録されている前記利用者のうち、前記評価部により前記評価情報が前記要求条件を満足すると評価された利用者に対し、端末装置を通して前記特定目的の被験者に関する募集情報を提供する紹介部をさらに備えることが好ましい。
【００１１】
この被験者評価装置において、前記利用者からの応募を受け付ける受付部をさらに備え、前記記録部は、前記受付部が受け付けた前記利用者に関して前記評価情報を記録することが好ましい。
【００１２】
この被験者評価装置において、前記要求条件が登録される登録部をさらに備え、前記評価部は、前記記録部に記録された前記利用者のうち前記登録部に登録された前記要求条件を満足する前記利用者を前記被験者の候補として抽出することが好ましい。
【００１３】
この被験者評価装置において、前記評価部は、抽出した前記被験者の候補について、前記記録部に前記評価情報を記録している期間において、前記評価情報が前記要求条件を満たさなくなった場合に、前記被験者の候補に対し、端末装置を通して行動の改善点を通知することがさらに好ましい。
【発明の効果】
【００１４】
本発明の構成によれば、利用者の行動を記録し、記録した評価情報が特定目的の被験者としての要求条件を満足するか否かを評価している。そのため、記録した評価情報を用いることにより、要求条件に適合した被験者を容易に探し出すことができる。また、利用者が使用する機器による資源の消費量の変化を分析することによって、機器の使用に関連付けられた行動が行われたと推定し、推定した行動を記録するから、行動を記録することについて被験者に負担がない。しかも、機器の使用に応じて行動が推定され、推定された行動が記録されるから、記録に客観性が得られる。
【図面の簡単な説明】
【００１５】
【図１】実施形態を示すブロック図である。
【発明を実施するための形態】
【００１６】
図１に示すように、以下に説明する被験者評価装置１０は、取得部１１と分析部１２と記録部１３と評価部１４とを備える。取得部１１は、利用者が使用する機器２０による資源の消費量を第１の計測装置２１から取得する。分析部１２は、取得部１１が取得した消費量の変化に基づいて、機器２０の使用に関連付けられている行動が行われたことを推定する。記録部１３は、分析部１２により前記行動が行われたと推定されたときに、該当する行動の種類と該当する行動が行われた時点とを行動情報とし、行動情報を含む評価情報を利用者に対応付けて記録する。評価部１４は、評価情報が特定目的の被験者としての要求条件を満足するか否かを評価する。
【００１７】
取得部１１は、第１の計測装置２１から取得する消費量に加えて、利用者の生体情報を第２の計測装置２２から取得することが望ましい。この場合、記録部１３は、行動情報と併せて生体情報を評価情報として記録する。
【００１８】
被験者評価装置１０は、紹介部１５を備えることがさらに望ましい。紹介部１５は、記録部１３に評価情報があらかじめ記録されている利用者のうち、評価部１４により評価情報が要求条件を満足すると評価された利用者に対し、端末装置４１を通して特定目的の被験者に関する募集情報を提供する。
【００１９】
また、被験者評価装置１０は、利用者からの応募を受け付ける受付部１６を備えることがさらに望ましい。この場合、記録部１３は、受付部１６が受け付けた利用者に関して評価情報を記録する。
【００２０】
さらにまた、被験者評価装置１０は、要求条件が登録される登録部１７を備えることがさらに望ましい。この場合、評価部１４は、記録部１３に記録された利用者のうち登録部１７に登録された要求条件を満足する利用者を被験者の候補として抽出する。
【００２１】
評価部１４は、抽出した被験者の候補について、記録部１３に評価情報を記録している期間において、評価情報が要求条件を満たさなくなった場合に、被験者の候補に対し、端末装置４１を通して行動の改善点を通知することがさらに望ましい。
【００２２】
以下、本実施形態の構成についてさらに詳しく説明する。本実施形態において説明する被験者評価装置１０は、薬の効果（治効）を確認（治験）するための被験者、運動機器や治療機器の効果を確認するための被験者、心理テストの被験者のような被験者を評価する目的で用いられる。すなわち、被験者評価装置１０は、被験者を募集する場合には、被験者の適性を事前に確認するために用いられ、被験者に対する試験あるいは実験を行っている期間には被験者が試験あるいは実験に適するように行動していることを確認するために用いられる。
【００２３】
以下の説明において、被験者評価装置１０が評価する対象としての利用者は、被験者を選択するために評価される場合と、被験者としての行動が評価される場合とがある。このような被験者評価装置１０の利用の形態については後述する。
【００２４】
以下では、被験者評価装置１０が、サーバ４０に構築されている場合を例として説明する。サーバ４０は、ハードウェア資源が１箇所に集中して配置されている構成に限らず、複数台のコンピュータが異なる場所に分散して配置され、１台のサーバ４０であるかのように連携する構成であってもよい。後者の構成は、クラウドコンピューティングシステムとして構築される。すなわち、以下の構成例では、被験者評価装置１０が提供するサービスを享受するために、被験者評価装置１０と電気通信回線４３を通して通信する端末装置４１または端末装置４２が必要である。端末装置４１，４２は、通信機能を備えるパーソナルコンピュータのほか、スマートフォン、タブレット端末などであってもよい。
【００２５】
被験者評価装置１０は、住宅のような建物３０ごとに配置されていてもよい。また、スマートフォン、タブレット端末、パーソナルコンピュータのような端末（つまり、コンピュータ）を、被験者評価装置１０として機能させるように、プログラムを提供することも可能である。さらには、被験者評価装置１０の構成を分割し、一部を建物３０に配置される装置あるいは端末に設け、残りをサーバ４０に設けるようにしてもよい。たとえば、評価部１４を除く構成の少なくとも一部は、建物３０に配置されていてもよい。建物３０に配置される構成は、ＨＥＭＳ（HEMS: Home Energy Management System）のコントローラに内蔵されていてもよい。この種のコントローラは、第１の計測装置２１が計測した電力を取得する機能を有し、また、建物３０で使用される機器２０と通信することにより機器２０の動作を管理する機能を有する。
【００２６】
プログラムは、端末のＲＯＭ（Read Only Memory）に格納しておくことが可能であるが、電気通信回線を通して提供することが可能であり、また、コンピュータで読取可能な記録媒体を用いて影響してもよい。電気通信回線は、インターネット、移動体電話網などを単独または組み合わせて含む。
【００２７】
以下に説明する実施形態では、図１のように、利用者が使用する建物（ここでは、住宅を想定する）３０に設けられる機器２０が電気を資源として動作する構成である場合を例として説明する。ただし、ガスあるいは水道粋を資源として動作する機器２０を用いる場合でも、以下に説明する技術的思想は適用可能である。
【００２８】
調理、給湯、暖房などに関する機器２０がガスを資源として動作する場合には、ガスメータで計測されるガスの流量を資源の消費量として監視することにより、機器２０の動作状態を把握することが可能である。給水、給湯などに関する機器２０が水道水を資源として動作する場合には、水道メータで計測される水道水の流量を資源の消費量として監視することにより、機器２０の動作状態を把握することが可能である。
【００２９】
本実施形態は、機器２０が電気を資源として動作するから、機器２０が使用する資源の消費量は、建物３０に設置された分電盤３１に併設または内蔵された第１の計測装置２１が計測する電力量に対応する。第１の計測装置２１は、分電盤３１が複数系統に分岐した分岐回路を通過する電流を計測するセンサ（図示せず）を、分岐回路ごとに備える。第１の計測装置２１は、それぞれのセンサが計測した電流値と、分岐回路の線間電圧とを用いることにより、分岐回路ごとに消費する電力量を単位時間ごとに算出する計算部（図示せず）を備える。センサは、分岐回路の電路に取り付けられるクランプ式の電流トランス、分電盤３１に内蔵されたロゴスキーコイルなどから選択される。
【００３０】
単位時間は、３０秒、１分、２分、５分、１０分などから選択される。もちろん、これらの値は一例であって、さらに短い時間を単位時間として電力量を計測することが可能である。また、第１の計測装置２１は、分岐回路ごとの電力量ではなく、機器２０ごとの電力量を計測する構成を採用することも可能である。単位時間が電力の瞬時値の変動を無視できる程度の期間に設定されている場合は、単位時間ごとの電力量の平均値は電力の瞬時値とみなせる。
【００３１】
以下では、単位時間ごとに消費される電力量を「消費電力」という。なお、単位時間を十分に短くすれば、時間経過に伴う消費電力の変化には、機器２０ごとの特徴が現れる場合があるから、消費電力の推移を分析することにより機器２０の種類を特定する構成を採用してもよい。この種の技術は種々提案されているから、ここでは詳述しない。
【００３２】
一般に、建物３０に設置された分電盤３１は、空調機器、電子レンジ、ＩＨクッキングヒータ（IH: Induction Heating）のように消費電力が比較的大きい機器２０には１回路ずつの分岐回路を割り当てている。また、分電盤３１は、アウトレットに接続される機器、照明器具のように消費電力が比較的小さい機器２０には部屋を単位として分岐回路を割り当てていることが多い。
【００３３】
分岐回路が単独の機器２０に割り当てられている場合はもちろんのこと、分岐回路が部屋単位に割り当てられている場合であっても、第１の計測装置２１が計測する分岐回路ごとの消費電力から機器２０ごとの消費電力を求めることができる。たとえば、上述したように、時間経過に伴う消費電力の変化を用いて機器２０の種類を特定し、機器２０を区別して消費電力を求めることが可能である。したがって、第１の計測装置２１が分岐回路ごとに消費電力を計測することは、実用上では、機器２０ごとの消費電力を計測することと等価とみなしてよい。
【００３４】
第１の計測装置２１が計測する消費電力の変化を監視すれば、機器２０の使用状況を知ることができるだけではなく、場合によっては、機器２０の種類を判別することも可能である。また、どの機器２０がどう使用されたかによって、機器２０の利用者の行動を推定することが可能である。したがって、第１の計測装置２１が計測する分岐回路ごとの消費電力を用いて、建物３０の住人の行動に関する情報が得られる。第１の計測装置２１が計測した機器２０の消費電力は、電気通信回線４３に接続された通信部４４を通して被験者評価装置１０を構成しているサーバ４０に送信される。
【００３５】
サーバ４０は、第１の計測装置２１が計測した機器２０の消費電力を、電気通信回線４３に接続された通信部４５を通して受け取り、被験者評価装置１０に与える。被験者評価装置１０は、第１の計測装置２１から分岐回路ごとの消費電力を取得する取得部１１を備える。取得部１１は、監視しようとする行動に関連付けられている分岐回路について消費電力を取得する。
【００３６】
取得部１１がどの分岐回路について消費電力を監視するかは、別途に設定可能になっている。この設定は、被験者評価装置１０に付設されている端末装置（図示せず）、あるいは被験者評価装置１０と電気通信回線４３を通して通信する端末装置４１，４２を用いて行うことが可能である。サーバ４０は、電気通信回線４３に接続された通信部４５を通して端末装置４１，４２と通信する。
【００３７】
取得部１１が取得した消費電力は取得部１１に設けられた記憶部（図示せず）に格納され、必要に応じて分析部１２に与えられる。分析部１２は、取得部１１が記憶部に格納している消費電力を用い、どの機器２０が使用されたかに応じて、建物３０の利用者の行動を分析する。
【００３８】
たとえば、寝室における消費電力の変化により利用者の就寝と起床という行動を推定することが可能であり、トイレにおける消費電力の変化により利用者のトイレの利用という行動を推定することが可能である。あるいはまた、キッチンとリビングとの消費電力の変化から食事という行動を推定することも可能である。このように、機器２０の消費電力がわかれば、建物３０における利用者（住人）の行動を推定することが可能である。機器２０の消費電力の変化に基づいて推定することが可能な行動は、例示した行動に限らず、たとえば、入浴、外出、帰宅などの行動も推定することが可能である。
【００３９】
このように、利用者が使用する建物３０における既存の機器２０の消費電力の変化を分析すれば、利用者が、睡眠、食事、用便などの行動を行ったことを推定することが可能である。利用者の行動について、さらに詳細な情報が必要である場合、あるいは利用者の行動をさらに精度よく推定する必要がある場合には、利用者の生体情報（バイタルデータ）を監視する第２の計測装置（バイタルセンサ）２２を併用することも可能である。
【００４０】
たとえば、第２の計測装置２２が、心拍数、血圧、活動量などを計測できれば、就寝、起床などの行動をより精度よく推定することが可能になる。さらに、第２の計測装置２２が、体重、体脂肪率、内臓脂肪率，肥満度などの生体情報を計測する機能を有している場合には、より詳細な利用者の特性を得ることが可能になる。第２の計測装置２２を設けている場合、第２の計測装置２２が計測した生体情報も、機器２０の消費電力と併せて通信部４４を通してサーバ４０に送信される。
【００４１】
被験者評価装置１０は、時計部１８を備えており、分析部１２によりそれぞれの行動が行われたと推定されたときに、時計部１８が計時している時刻と、分析部１２が推定した行動の種類とを行動情報として利用者に対応付けて記録部１３に格納する。
【００４２】
第２の計測装置２２を設けている場合、取得部１１は、第２の計測装置２２から生体情報を取得し、生体情報も利用者に対応付けて記録部１３に格納する。生体情報は、時間の経過に伴って随時変化する情報と、短期間では変化しない情報とが含まれる。随時変化する情報については時計部１８が計時している時刻とともに記録部１３に格納され、変化の少ない情報は１週間〜１ヶ月などの比較的長い期間で定期的に記録部１３に格納される。
【００４３】
以下では、分析部１２が推定した行動の種類と、その行動が行われた時点とを行動情報と呼ぶ。行動情報と生体情報とは、以下に説明する評価部１４が評価の対象とする評価情報になる。すなわち、記録部１３は、評価情報を利用者に対応付けて記録する。なお、第２の計測装置２２を用いない場合には、評価情報は、行動情報のみであってもよい。
【００４４】
評価部１４は、記録部１３に記録されている評価情報について、被験者評価装置１０にあらかじめ与えられている要求条件を満足するか否かを判断する。要求条件は、被験者が必要になる試験や実験の目的に応じて異なり、被験者の募集側から示される。そのため、被験者評価装置１０は、要求条件を登録するための登録部１７を備えることが望ましい。登録部１７に登録される要求条件は、被験者を募集する際に募集条件として示される。なお、登録部１７への要求条件の登録は、端末装置４２を用いて電気通信回線４３を通して行えるようにすることが望ましいが、オフライン（郵便、ファクシミリ、電話など）で通知された要求条件を、登録部１７に入力することも可能である。
【００４５】
募集条件が示された時点において、被験者評価装置１０の記録部１３に利用者が登録されていれば、評価部１４は、記録部１３に登録されている利用者の評価情報が、募集条件（要求条件）を満足するか否かを評価する。評価部１４は、評価情報が要求条件を満足していれば、該当する利用者を被験者の候補として抽出する。
【００４６】
ここに、被験者評価装置１０は、被験者の候補として抽出された利用者に、被験者に関する募集情報を提供するための紹介部１５を備えている。紹介部１５は、端末装置４１に対して電気通信回線４３を通して募集情報を提供する。このように、評価部１４により被験者の候補として抽出された利用者にだけ、募集情報を提供することにより、募集条件（要求条件）に適合しない利用者に募集情報が通知される無駄がない。なお、当然のことであるが、記録部１３が評価情報を記録している利用者は、被験者となることを許容しているから、募集情報が通知されることにより、被験者として応募する確率が高くなる。
【００４７】
被験者評価装置１０は、利用者からの応募を受け付ける受付部１６を備えている。すなわち、受付部１６は、被験者の候補として抽出されたことが通知された利用者からの応募（被験者となることの許諾）を受け付ける機能を有する。また、受付部１６は、被験者の候補として抽出されていない利用者から、被験者になるための登録を希望する応募も受け付けることが可能である。受付部１６は、このような利用者からの応募を受け付けた場合には、利用者と契約の手続きを進める。契約の手続きは、端末装置４１を通して行うことが可能であるが、オフラインで行うようにしてもよい。手続きが完了した利用者については、記録部１３への評価情報の記録が開始される。
【００４８】
被験者の候補として抽出された利用者に対して紹介部１５が募集情報を通知し、この通知に対して受付部１６が被験者となることの許諾を利用者から受け取った場合には、評価部１４に抽出された被験者の候補は、被験者を募集している募集者に通知される。被験者の候補の通知は、電気通信回線４３を通して端末装置４２に行う場合と、オフラインで行う場合とがある。
【００４９】
上述の事例は、登録部１７に要求条件が登録された時点で、記録部１３に要求条件を満足する利用者が存在している場合であるが、被験者に対する要求条件が登録部１７に登録された後に、要求条件を満足する利用者を募集することも多い。このような事例は、たとえば、登録部１７に要求条件が登録されてから新規に被験者を募集する場合、記録部１３に登録されている利用者だけでは募集する被験者の人数を満たさない場合に生じる。
【００５０】
このような場合には、第１の計測装置２１を備えている建物３０の利用者に対して、被験者の募集があることを、紹介部１５が端末装置４１に通知してもよい。ただし、第１の計測装置２１を備えているすべての利用者に対して被験者の募集を通知すると、要求条件に適合しない利用者が多数含まれる可能性があるから、紹介部１５を通して利用者に要求条件を提示して被験者を募集することが望ましい。端末装置４１からの応募は受付部１６において処理される。
【００５１】
ところで、評価部１４が被験者の候補として抽出した利用者について、評価情報が記録部１３に記録されている期間において、利用者の行動の変化によって、利用者から得られる評価情報が要求条件を満たさなくなる可能性がある。このような場合、評価部１４は、端末装置４１を通して利用者に行動の改善点を通知することが望ましい。評価部１４が行動の改善点を通知することにより、利用者から得られる評価情報が要求条件を満足するようになれば、被験者として採用を継続すればよい。また、改善点の通知にもかかわらず、評価情報が要求条件を満足できるようにならなければ、被験者として採用できない旨を通知する。
【００５２】
以下に、上述した構成の利用例について概要を説明する。ここでは、薬の治験のためのモニター（すなわち、被験者）を管理するために被験者評価装置１０を用いる場合を例として説明する。薬の効果を実証するために、薬の治験を行う被験者は、起床時刻、就寝時刻、睡眠時間、食事時間帯などが想定された範囲（要求条件）であることが必要がある。効果を確認するには、比較するための対照群が必要になる場合も多い。
【００５３】
従来は、被験者自身が行動を記録していたが、記録内容を客観的に確認することができず、被験者にとっても記録の手間がかかるという課題を有している。これに対して、上述した構成を採用することにより、被験者による機器２０の使用の実績に基づいて行動が分析されるから、被験者は行動を記録する手間がなく、また、行動を客観的に監視することが可能になり、治験に対する信頼性の向上につながる。
【００５４】
以上のことから、薬の治験を依頼した募集者としての製薬会社に対して、正しく治験が行えていることのエビデンスを提出することが容易になる。また、あらかじめ利用者の行動を記録しておけば、治験のための要求条件を満足する被験者を容易に抽出することができるようになる。たとえば、治験のための要求条件を満足する被験者を探し出すために、睡眠時間が長い被験者、用便の頻度が高い被験者などの要求条件が与えられると、第１の計測装置２１を備えている建物３０の利用者の中から、要求条件を満足する利用者を抽出可能になる。つまり、被験者を必要とする応募者の要求条件と、建物３０の利用者の行動とが整合するか否かを評価して、要求条件にマッチングした適切な被験者を容易に探し出すことができる。
【００５５】
なお、分析部１２が監視する特定の行動の種類については上述した例にとどまらず、様々に定めることが可能である。また、上述した構成例は一例であって、本発明の技術的思想を逸脱しない範囲において、適宜に構成を変更することが可能である。
【符号の説明】
【００５６】
１０  被験者評価装置
１１  取得部
１２  分析部
１３  記録部
１４  評価部
１５  紹介部
１６  受付部
１７  登録部
２０  機器
２１  第１の計測装置
２２  第２の計測装置
４１  端末装置
【図１】
2015109045.tif 000003